(57)【要約】【課題】温水生成能力の変更を、容易かつ低コストで実現可能としつつ、熱効率を良好にすることも可能な温水装置を提供する。【解決手段】燃焼装置Ｃと、熱交換器ＨＥと、を備えている温水装置ＷＨであって、熱交換器ＨＥの伝熱管６Ｂを構成する複数の直状管体部６０のうち、横並び方向の一端に位置する直状管体部６０は、入水口６２ａに最も近い入水側直状管体部６０ａとされており、燃焼装置Ｃの複数のバーナ１Ｂの一部は、燃料ガス供給ヘッド４からの燃料ガス供給が常時停止されていることにより、駆動燃焼を生じない非燃焼バーナ１B’とされ、この非燃焼バーナ１B’の上方に、入水側直状管体部６０ａが位置している。【選択図】  図１
2019190735.tif 000002
【特許請求の範囲】
【請求項１】
燃焼装置と、熱交換器と、を備えており、
前記燃焼装置は、複数のバーナを横並び状態で収容するバーナケースと、このバーナケース内にその下方側から燃焼用空気を供給可能なファンと、前記複数のバーナに燃料ガスを供給可能な燃料ガス供給ヘッドと、を備えており、
前記熱交換器は、前記複数のバーナの上方に位置し、かつ入水口から供給される湯水が流通する伝熱管を備えており、
この伝熱管は、前記複数のバーナの横並び方向とは交差する略水平方向に延びた複数の直状管体部を有し、かつこれら複数の直状管体部が、前記横並び方向に並べられて一連に接続された構成とされている、温水装置であって、
前記熱交換器は、前記複数の直状管体部のうち、前記横並び方向の一端に位置する直状管体部が、前記入水口に最も近い入水側直状管体部とされており、
前記複数のバーナの一部は、前記燃料ガス供給ヘッドからの燃料ガス供給が常時停止されていることにより、駆動燃焼を生じない非燃焼バーナとされ、かつこの非燃焼バーナの上方に、前記入水側直状管体部が位置していることを特徴とする、温水装置。
【請求項２】
請求項１に記載の温水装置であって、
前記非燃焼バーナを含む前記複数のバーナは、ガス導入口および上向き開口状の炎孔面を有しており、
前記非燃焼バーナを除く前記複数のバーナは、前記ガス導入口から内部に導入された燃焼用空気および燃料ガスの混合ガスが前記炎孔面において燃焼可能とされ、
前記非燃焼バーナは、前記ガス導入口から内部に導入された燃焼用空気が前記炎孔面から上向きに流出する構成とされている、温水装置。
【請求項３】
請求項２に記載の温水装置であって、
前記非燃焼バーナは、前記入水側直状管体部の長手方向に延びた形態を有し、かつ前記長手方向の一端部に、前記ガス導入口が設けられているとともに、内部には、前記ガス導入口に流入した燃焼用空気を前記長手方向の他端部側に進行させてから上向きに進行させて前記炎孔面に導くガス流路が形成されており、
前記入水側直状管体部において、前記入水口から流入した湯水は、前記非燃焼バーナの前記他端部側から前記一端部側に向かう方向に流れる構成とされている、温水装置。
【請求項４】
燃焼装置と、熱交換器と、を備えており、
前記燃焼装置は、複数のバーナを横並び状態で収容するバーナケースと、このバーナケース内にその下方側から燃焼用空気を供給可能なファンと、前記複数のバーナに燃料ガスを供給可能な燃料ガス供給ヘッドと、を備えており、
前記熱交換器は、前記複数のバーナの上方に位置し、かつ入水口から供給される湯水が流通する伝熱管を備えており、
この伝熱管は、前記複数のバーナの横並び方向とは交差する略水平方向に延びた複数の直状管体部を有し、かつこれら複数の直状管体部が、前記横並び方向に並べられて一連に接続された構成とされている、温水装置であって、
前記熱交換器は、前記複数の直状管体部のうち、前記横並び方向の一端に位置する直状管体部が、前記入水口に最も近い入水側直状管体部とされており、
前記バーナケース内には、前記複数のバーナのいずれも配置されることなく、前記各バーナと同一構成の他のバーナを追加設置することが可能なバーナ設置用空き領域が設けられ、かつこのバーナ設置用空き領域の上方に、前記入水側直状管体部が位置していることを特徴とする、温水装置。
【発明の詳細な説明】
【技術分野】
【０００１】
本発明は、燃焼装置と熱交換器とを組み合わせて構成された給湯装置などの温水装置に関する。
【背景技術】
【０００２】
温水装置としては、燃焼装置と、熱交換器と、を組み合わせたものが広く知られている。燃焼装置は、たとえば複数のバーナ、これら複数のバーナを横並び状態で収容するバーナケース、このバーナケース内にその下方側から燃焼用空気を供給するファン、前記複数のバーナに燃料ガスを供給する燃料ガス供給ヘッドなどを備えた構成とされる。一方、熱交換器は、前記複数のバーナの上方に配され、かつ加熱対象の湯水が流通する伝熱管を備えた構成とされる。この伝熱管としては、たとえば複数のバーナの横並び方向とは交差する略水平方向に延びる複数の直状管体部が、前記横並び方向に並べられた上で、連結用管体部を介して一連に接続された構成とされる（たとえば、特許文献１〜３を参照）。
【０００３】
一方、温水装置のメーカとしては、用途、あるいは給湯能力が相違する複数種類の温水装置を製作して準備し、顧客のニーズに応えることが要望される。たとえば、一般給湯用途と風呂給湯（風呂追い焚き）用途とに用いられる温水装置とは別に、一般給湯用途と温水暖房用途とに用いられる温水装置が要望される場合があるが、一般的には、風呂給湯用途よりも温水暖房用途の方が、燃焼装置の最大燃焼火力が大きいものとする必要がある。このような場合、給湯用途、あるいは給湯能力が異なる毎に、温水装置を構成する燃焼装置や熱交換器の全体の仕様を相違させたのでは、これらの製造コストが高価となる不具合がある。
そこで、従来においては、たとえば燃焼装置に具備された複数のバーナのうちの一部を、非燃焼バーナとしたり、あるいは複数のバーナの総数を変更することにより、温水装置の全体の仕様を大きく変更することなく、燃焼装置の燃焼火力を変更し、給湯能力を調整する手段がある（特許文献１，２）。
【０００４】
しかしながら、前記した手段を採用する場合、次に述べるような不具合を生じる場合がある。
【０００５】
すなわち、複数のバーナの一部を非燃焼バーナとした場合、伝熱管の複数の直状管体部のうち、非燃焼バーナの上方に位置する直状管体部には、燃焼ガスが効率的には作用せず、温度が低い燃焼用空気が作用することとなる。したがって、伝熱管内を流通し、複数のバーナによって加熱された湯水が、その流通過程の途中、あるいは流通過程の最後に、非燃焼バーナの上方を通過することに起因し、燃焼用空気によって冷却される虞がある。これでは、熱損失が大きく、熱効率が低いものとなる。
このような不具合は、複数のバーナの総数を減らし、バーナが設けられていない領域を伝熱管の下方に設けた場合においても同様に生じる。
【先行技術文献】
【特許文献】
【０００６】
【特許文献１】特開２０１３−２９２５６号公報
【特許文献２】特開２０１３−１１４０９号公報
【特許文献３】特開２００８−７６００２号公報
【特許文献４】特許第４０１５７７５号公報
【発明の概要】
【発明が解決しようとする課題】
【０００７】
本発明は、前記したような事情のもとで考え出されたものであり、温水生成能力の変更を、容易かつ低コストで実現可能としつつ、熱効率を良好にすることも可能な温水装置を提供することを、その課題としている。
【課題を解決するための手段】
【０００８】
上記の課題を解決するため、本発明では、次の技術的手段を講じている。
【０００９】
本発明の第１の側面により提供される温水装置は、燃焼装置と、熱交換器と、を備えており、前記燃焼装置は、複数のバーナを横並び状態で収容するバーナケースと、このバーナケース内にその下方側から燃焼用空気を供給可能なファンと、前記複数のバーナに燃料ガスを供給可能な燃料ガス供給ヘッドと、を備えており、前記熱交換器は、前記複数のバーナの上方に位置し、かつ入水口から供給される湯水が流通する伝熱管を備えており、この伝熱管は、前記複数のバーナの横並び方向とは交差する略水平方向に延びた複数の直状管体部を有し、かつこれら複数の直状管体部が、前記横並び方向に並べられて一連に接続された構成とされている、温水装置であって、前記熱交換器は、前記複数の直状管体部のうち、前記横並び方向の一端に位置する直状管体部が、前記入水口に最も近い入水側直状管体部とされており、前記複数のバーナの一部は、前記燃料ガス供給ヘッドからの燃料ガス供給が常時停止されていることにより、駆動燃焼を生じない非燃焼バーナとされ、かつこの非燃焼バーナの上方に、前記入水側直状管体部が位置していることを特徴としている。
【００１０】
このような構成によれば、次のような効果が得られる。
第１に、前記構成において、燃料ガス供給ヘッドから非燃焼バーナに燃料ガス供給を行なわせれば、非燃焼バーナを他のバーナと同様に駆動燃焼させることが可能であり、このことによって燃焼装置の燃焼火力を大きくすることが可能である。したがって、温水装置の各部の仕様を大きく変更することなく、温水生成能力の増大化を容易かつ適切に、しかも低コストで図ることが可能であり、温水装置の製造コストの低減化を図ることができる。たとえば、本発明に係る温水装置が、風呂給湯用とされている場合において、非燃焼バーナを他のバーナと同様に駆動燃焼させる仕様とすることにより、温水暖房用の温水装置として簡単に仕様変更することが可能となる。
第２に、本発明によれば、入水口から伝熱管内に流入した湯水は、複数の直状管体部のうち、非燃焼バーナの上方に位置することによって燃焼用空気が作用する入水側直状管体部を先ず通過する。前記湯水は、その後に他の直状管体部を通過する過程で、燃焼ガスによって加熱される。したがって、燃焼ガスによって加熱された後の湯水が、非燃焼バーナの上方を通過して低温の燃焼用空気によって冷却されることは適切に回避され、燃焼用空気に起因する大きな熱損失を生じないようにすることができる。その結果、熱効率を良好なものとし、省エネ性能にも優れたものとすることができる。
第３に、伝熱管に低温の湯水が入水した場合には、伝熱管に結露を生じる虞があるが、結露水の発生量は、伝熱管の低温の湯水が流通する箇所に、燃焼ガスが多く作用するほど多くなる。これに対し、本発明によれば、複数の直状管体部のうち、内部の湯水温度が最も低い入水側直状管体部には、燃焼ガスが多く作用しない。したがって、熱交換器における結露水の発生量を少なくし、結露水に起因する伝熱管の腐食の進行や、排気閉塞の発生なども適切に防止または抑制することが可能である。
【００１１】
本発明において、好ましくは、前記非燃焼バーナを含む前記複数のバーナは、ガス導入口および上向き開口状の炎孔面を有しており、前記非燃焼バーナを除く前記複数のバーナは、前記ガス導入口から内部に導入された燃焼用空気および燃料ガスの混合ガスが前記炎孔面において燃焼可能とされ、前記非燃焼バーナは、前記ガス導入口から内部に導入された燃焼用空気が前記炎孔面から上向きに流出する構成とされている。
【００１２】
このような構成によれば、非燃焼バーナの炎孔面から上向きに燃焼用空気が流出する作用により、この非燃焼バーナに隣接する他のバーナの駆動燃焼状態（火焔の発生状態など）を安定させる効果が得られる。より具体的には、１つのバーナの左右両隣の一方に他のバーナが存在し、燃焼用空気が上向きに流れているのに対し、他方にはバーナが存在せず、前記一方とは燃焼用空気の流れが異なった状況であると、火焔が不安定なものとなるが、前記構成によれば、そのような現象を適切に防止または抑制することができることとなる。
【００１３】
本発明において、好ましくは、前記非燃焼バーナは、前記入水側直状管体部の長手方向に延びた形態を有し、かつ前記長手方向の一端部に、前記ガス導入口が設けられているとともに、内部には、前記ガス導入口に流入した燃焼用空気を前記長手方向の他端部側に進行させてから上向きに進行させて前記炎孔面に導くガス流路が形成されており、前記入水側直状管体部において、前記入水口から流入した湯水は、前記非燃焼バーナの前記他端部側から前記一端部側に向かう方向に流れる構成とされている。
【００１４】
このような構成によれば、次のような効果が得られる。
前記した非燃焼バーナにおいては、ガス導入口から内部のガス流路に流入した燃焼用空気は、このガス流路を非燃焼バーナの他端部側に向けて進行してから上向きに進行し、炎孔面からその上方に流出するため、この空気流出量は、非燃焼バーナの一端部側よりも他端部側の方が多くなる。これに対し、入水側直状管体部を流通する湯水は、前記した空気流出量が多い領域を通過した後に、空気流出量が少ない領域に向かうこととなる。したがって、入水側直状管体部を流通する湯水が燃焼用空気によって冷却されることによる熱損失を一層少なくし、熱効率をさらに高めることが可能となる。
【００１５】
本発明の第２の側面により提供される温水装置は、燃焼装置と、熱交換器と、を備えており、前記燃焼装置は、複数のバーナを横並び状態で収容するバーナケースと、このバーナケース内にその下方側から燃焼用空気を供給可能なファンと、前記複数のバーナに燃料ガスを供給可能な燃料ガス供給ヘッドと、を備えており、前記熱交換器は、前記複数のバーナの上方に位置し、かつ入水口から供給される湯水が流通する伝熱管を備えており、この伝熱管は、前記複数のバーナの横並び方向とは交差する略水平方向に延びた複数の直状管体部を有し、かつこれら複数の直状管体部が、前記横並び方向に並べられて一連に接続された構成とされている、温水装置であって、前記熱交換器は、前記複数の直状管体部のうち、前記横並び方向の一端に位置する直状管体部が、前記入水口に最も近い入水側直状管体部とされており、前記バーナケース内には、前記複数のバーナのいずれも配置されることなく、前記各バーナと同一構成の他のバーナを追加設置することが可能なバーナ設置用空き領域が設けられ、かつこのバーナ設置用空き領域の上方に、前記入水側直状管体部が位置していることを特徴としている。
【００１６】
前記構成は、本発明の第１の側面により提供される温水装置において、非燃焼バーナを除去した構成に相当し、次のような効果が得られる。
第１に、バーナ設置用空き領域にバーナを設置し、このバーナに燃料ガス供給ヘッドから燃料ガス供給を行なわせれば、このバーナを他のバーナと同様に駆動燃焼させることが可能である。したがって、温水装置の各部の仕様を大きく変更することなく、温水生成能力の増大化を容易かつ適切に、しかも低コストで図ることができる。
第２に、入水口から伝熱管内に流入した湯水は、複数の直状管体部のうち、バーナ設置用空き領域の上方に位置して燃焼用空気が作用する入水側直状管体部を先ず通過し、その後に他の直状管体部を通過して加熱される。したがって、燃焼ガスによって加熱された後の湯水が、低温の燃焼用空気によって冷却されることは適切に回避され、熱効率を良好にすることが可能である。
第３に、複数の直状管体部のうち、内部の湯水温度が最も低い入水側直状管体部には、燃焼ガスが多く作用しないようにすることができるため、結露を抑制し、結露水に起因する伝熱管の腐食の進行や、排気閉塞の発生などを適切に防止または抑制することもできる。
このように、本発明の第２の側面により提供される温水装置においても、本発明の第１の側面により提供される温水装置と同様な効果が得られる。
【００１７】
本発明のその他の特徴および利点は、添付図面を参照して以下に行なう発明の実施の形態の説明から、より明らかになるであろう。
【図面の簡単な説明】
【００１８】
【図１】本発明に係る温水装置の一例を示す概略正面断面図である。
【図２】（ａ）は、図１のIIa−IIa断面図であり、（ｂ）は、図１のIIb−IIb断面図である。
【図３】図１に示す温水装置の１次熱交換器を示す要部平面断面図である。
【図４】本発明に係る温水装置の他の例を示す概略正面断面図である。
【発明を実施するための形態】
【００１９】
以下、本発明の好ましい実施の形態について、図面を参照して具体的に説明する。
【００２０】
図１および図２に示す温水装置ＷＨは、給湯装置として構成されており、燃焼装置Ｃ、および熱交換器ＨＥを備えている。この温水装置ＷＨは、たとえば一般給湯と、風呂給湯（風呂追い焚き）との２系統の給湯動作を独立して行なうことが可能であり、いわゆる１缶２回路方式である。
【００２１】
燃焼装置Ｃは、複数の第１および第２のバーナ１Ａ，１Ｂ、これらを横並び状で収容するバーナケース２、モータＭ付きのファン３、および燃料ガス供給ヘッド４を備えている。
【００２２】
第１および第２のバーナ１Ａ，１Ｂのそれぞれは、全体が偏平状のいわゆるガス燃焼管であり、その一端部側には、ガス導入口１１が設けられ、かつ上面部には炎孔面１２が形成された構成である。ガス導入口１１に燃料ガスと燃焼用空気との混合ガスが流入することにより、前記燃料ガスを炎孔面１２において燃焼させることが可能である。バーナケース２内には、仕切り部材９０が設けられており、複数の第１のバーナ１Ａが並べられた第１の燃焼室Ｒａと、複数の第２のバーナ１Ｂが並べられた第２の燃焼室Ｒｂとに区画されている。第１のバーナ１Ａは、一般給湯時に湯水加熱を行なうためのものである。これに対し、第２のバーナ１Ｂは、風呂給湯時に湯水加熱を行なうためのものであり、第１のバーナ１Ａよりも総数が少なくされている。図面において、符号９２ａ〜９２ｃは、バーナケース２または仕切り部材９０の熱損傷を防止し、第１および第２のバーナ１Ａ，１Ｂの位置決めなどを図るための遮熱板である。
複数の第２のバーナ１Ｂのうち、図１の左端に位置するバーナは、後述するように、駆動燃焼が常時停止された非燃焼バーナ１B'である。この非燃焼バーナ１B'自体の構成は、他の第２のバーナ１Ｂの構成と同一である。
【００２３】
燃料ガス供給ヘッド４は、バーナケース２の前面側に取付けられ、非燃焼バーナ１B'を除き、第１および第２のバーナ１Ａ，１Ｂのそれぞれに燃料ガスを供給可能である。具体的には、図２（ａ）に示すように、燃料ガス供給ヘッド４は、第２のバーナ１Ｂのガス導入口１１に対向する燃料ガス噴出ノズル４０を備えており、供給ヘッドガス管などを介してこの燃料ガス供給ヘッド４に供給されてくる燃料ガスを、ガス導入口１１に向けて噴出可能である。第１のバーナ１Ａのガス導入口１１についても同様に燃料ガスの噴出が可能
である。
【００２４】
ただし、図２（ｂ）に示すように、非燃焼バーナ１B'のガス導入口１１に対向する部位には、燃料ガス噴出ノズル４０は設けられておらず、燃料噴出ノズルベース部４１が設けられている。この燃料噴出ノズルベース部４１は、ノズルが開口した状態にはなく、非燃焼バーナ１B'への燃料ガス噴出がなされない部位である。図２（ａ）に示した燃料ガス噴出ノズル４０は、ノズル開口加工が施されていることにより、燃料ガス供給ヘッド４内のガス供給路に連通した部位であるが、同図（ｂ）に示した燃料噴出ノズルベース部４１は、ノズル開口加工が施されていない部位である。
【００２５】
バーナケース２内の底部には、複数の通気孔２９ａを有する整流板２９が設けられ、かつその下方には、空気流路２８が形成されている。ファン３から吐出された燃焼用空気の一部は、通気孔２９ａを上向きに通過して第１および第２のバーナ１Ａ，１Ｂの設置領域に進行するとともに、前記燃焼用空気の他の一部は、空気流路２８を通過して燃料ガス供給ヘッド４とバーナケース２の前面下部との間に進行し、第１および第２のバーナ１Ａ，１Ｂのガス導入口１１に流入するように構成されている。
【００２６】
非燃焼バーナ１B'のガス導入口１１には、既述したように、燃料ガスは流入しないものの、燃焼用空気は流入し、この燃焼用空気は、内部の流路１３を通過して炎孔面１２から上向きに流出する。流路１３は、ガス導入口１１に流入した燃焼用空気を、非燃焼バーナ１B'の一端部１４ａ側から他端部１４ｂ側に進行させてから上向きに進行させるように形成されている。このため、炎孔面１２からその上方への燃焼用空気の流出量は、非燃焼バーナ１B'の他端部１４ｂ側の方が一端部１４ａ側よりも多くなる。
【００２７】
熱交換器ＨＥは、バーナケース２上に載設された缶体５内に、湯水加熱用の第１および第２の伝熱管６Ａ，６Ｂが収容された構成を有している。第１および第２の伝熱管６Ａ，６Ｂは、複数のフィン６８ａ，６８ｂを備えたフィン付きチューブとして構成されており、これらの相互間は、仕切り部材９１によって仕切られている。第１の伝熱管６Ａは、一般給湯用であり、第２の伝熱管６Ｂは、風呂給湯用である。
【００２８】
第２の伝熱管６Ｂは、図３に示すように、温水装置ＷＨの前後方向に延びる複数の直状管体部６０が、温水装置ＷＨの横幅方向に間隔を隔てて並び、かつ連結用管体部６１を介して一連に接続された構成を有し、その全体形状は、たとえば平面視蛇行状であり、上下高さ方向において単段である。ただし、複数段で設けることもできる。複数の直状管体部６０のうち、第１の伝熱管６Ａとは反対側の一端部（缶体５の側壁部５ａ寄り）に位置する直状管体部６０は、その一端部に入水口６２ａを有する補助管体６２が接続された構成とされ、入水口６２ａに最も近い入水側直状管体部６０ａ（６０）とされている。図１に示すように、第２の伝熱管６Ｂは、複数の第２のバーナ１Ｂの上方に位置しているが、入水側直状管体部６０ａの下方には、非燃焼バーナ１B'が位置している。また、補助管体６２は、温水装置ＷＨの背面側に設けられており、この補助管体６２から入水側直状管体部６０ａに流入した湯水は、入水側直状管体部６０ａ内を温水装置ＷＨの背面側から前面側に向けて（非燃焼バーナ１B'の他端部１４ｂ側から一端部１４ａ側に向けて）流れるように構成されている。
【００２９】
第１の伝熱管６Ａは、第１の燃焼室Ｒａの上方に位置しており、入水口からこの第１の伝熱管６Ａに流入した湯水は、第１の燃焼室Ｒａから上向きに進行してくる燃焼ガスにより加熱されるように構成されている。第１の伝熱管６Ａの詳細な構成の説明は省略するが、この第１の伝熱管６Ａは、先に述べた直状管体部６０と同様な複数の直状管体部を、適当な連結管体部を介して一連に接続し、上下複数段、あるいは単段で設けた構成とされている。
熱交換器ＨＥの上側には、この熱交換器ＨＥを通過した燃焼ガスを排ガスとして外部に排出するための排気集合筒が設けられ、または熱交換器ＨＥを通過した燃焼ガスからさらに潜熱を回収するための別の熱交換器（潜熱回収用熱交換器）が適宜設けられる。
【００３０】
次に、前記した温水装置ＷＨの作用について説明する。
【００３１】
まず、風呂給湯を行なう場合には、非燃焼バーナ１B'を除く複数の第２のバーナ１Ｂを駆動燃焼させて湯水加熱を行なうことが可能である。ここで、複数の第２のバーナ１Ｂの最大燃焼火力を大きくし、温水装置ＷＨの仕様を温水暖房給湯に適するものにしたい場合がある。この場合、図２（ｂ）に示した燃料ガス供給ヘッド４の燃料噴出ノズルベース部４１に、ノズル開口を形成し、非燃焼バーナ１B'に燃料ガス供給が可能な構成とすればよい。このことにより、非燃焼バーナ１B'を、他の第２のバーナ１Ｂと同様に駆動燃焼させ得ることとなり、温水装置ＷＨの各部の仕様を大きく変更することなく、温水生成能力を高め、温水暖房給湯に適したものとすることができる。これは、風呂給湯機能を備えた温水装置と暖房給湯機能を備えた温水装置との部品の共通化を図り、これらの製造コストを低減する上で、有利である。
【００３２】
風呂給湯を行なうべく、非燃焼バーナ１B'を除く第２のバーナ１Ｂを駆動燃焼させて湯水加熱を行なう場合には、入水口６２ａから第２の伝熱管６Ｂ内に流入した湯水は、非燃焼バーナ１B'の上方に位置する入水側直状管体部６０ａを通過してから他の直状管体部６０を順次流通し、この過程において効率良く加熱される。入水側直状管体部６０ａには、燃焼ガスが余り作用せず、非燃焼バーナ１B'の炎孔面１２から流出する燃焼用空気や、非燃焼バーナ１B'の周辺部を通過してきた燃焼用空気が作用するが、入水側直状管体部６０ａを流通する湯水は、第２のバーナ１Ｂによって未だ加熱されていない状態、または殆ど加熱されていない状態である。このため、入水側直状管体部６０ａに燃焼用空気が作用することに起因する熱損失は少ない。また、第２のバーナ１Ｂによって高温に加熱された後の湯水が、燃焼用空気によって冷却されることにより多くの熱損失が発生するといったこともない。したがって、非燃焼バーナ１B'を設けたことに起因して、熱効率が低下するといった不具合を生じないようにし、熱効率に優れたものとすることが可能である。
【００３３】
図２（ｂ）を参照して説明したように、非燃焼バーナ１B'の炎孔面１２からの燃焼用空気の流出量は、非燃焼バーナ１B'の他端部１４ｂ側の方が一端部１４ａ側よりも多くなる。これに対し、入水側直状管体部６０ａにおいては、湯水が非燃焼バーナ１B'の他端部１４ｂ側から一端部１４ａ側に向かう方向に流れるように構成されており、一端部１４ａ側に流れるに連れて温度が徐々に上昇する。このため、入水側直状管体部６０ａを湯水が流通する過程において、温度上昇を生じた湯水が燃焼用空気によって冷却される作用をも抑制することができ、熱効率を一層良くすることが可能である。
【００３４】
入水口６２ａから第２の伝熱管６Ｂに比較的低温の湯水が入水し、かつこの第２の伝熱管６Ｂに燃焼ガスが作用した場合、第２の伝熱管６Ｂに結露を生じる虞がある。結露水の発生量は、第２の伝熱管６Ｂの低温部分に、燃焼ガスが多く作用するほど多くなる。これに対し、本実施形態の温水装置ＷＨにおいては、複数の直状管体部６０のうち、内部の湯水温度が最も低くなる入水側直状管体部６０ａには、燃焼ガスが多く作用しない。したがって、結露水の発生量を少なくし、結露水に起因する第２の伝熱管６Ｂやフィン６８ｂの腐食の進行を防止し、また熱交換器ＨＥにおける排気閉塞の発生なども適切に防止することが可能となる。
【００３５】
非燃焼バーナ１B'は、これに隣接する第２のバーナ１Ｂ（図１に符号１B"で示し、以下、隣接バーナ１B"と称する）の駆動燃焼を安定させる役割をも果たす。すなわち、非燃焼バーナ１B'が仮に設けられていない場合には、隣接バーナ１B"の一方側には、他の第２の
バーナ１Ｂが存在するのに対し、他方側は単なる空間スペースとなる。このため、隣接バーナ１B"の左右両側は、燃焼用空気の流れ方が相違することとなり、隣接バーナ１B"の駆動燃焼が不安定（火焔が左右非対象など）となる虞がある。これに対し、非燃焼バーナ１B'が設けられていれば、隣接バーナ１B"の左右両側の燃焼用空気の流れ方の均一化を図り、隣接バーナ１B"の駆動燃焼を安定化させる利点が得られる。
【００３６】
図４は、本発明の他の実施形態を示している。同図において、前記実施形態と同一または類似の要素には、前記実施形態と同一の符号を付すこととし、重複説明は省略する。
【００３７】
図４に示す温水装置ＷＨａは、前記実施形態の温水装置ＷＨから非燃焼バーナ１B'を除去した構成に相当し、これ以外の構成は、温水装置ＷＨと同様である。本実施形態の温水装置ＷＨａにおいては、非燃焼バーナ１B'が設けられていない結果、バーナケース２内のうち、第２の伝熱管６Ｂの入水側直状管体部６０ａの下方領域は、第２のバーナ１Ｂが設けられておらず、第２のバーナ１Ｂと同一構成のバーナを追加設置することが可能なバーナ設置用空き領域ＡＲとされている。
【００３８】
本実施形態によれば、非燃焼バーナ１B'を利用して隣接バーナ１B"の駆動燃焼を安定化させる既述の効果は得られないものの、バーナ設置用空き領域ＡＲに第２のバーナ１Ｂと同一構成のバーナを設置し、かつこのバーナに燃料ガスを供給可能とすることによって、温水生成能力を高めることが簡単に、かつ低コストで実現できることとなる。また、本実施形態では、バーナ設置用空き領域ＡＲに供給される燃焼用空気が、入水側直状管体部６０ａに作用することとなるが、このことによって多くの熱損失は生じず、また第２のバーナ１Ｂによって加熱された後の湯水が、燃焼用空気によって冷却されて多くの熱損失を生じるといったこともない。したがって、前記実施形態と同様に、熱効率を良好なものにすることも可能である。前記実施形態と同様に、結露を生じ難くすることができるといった利点も得られる。
【００３９】
本発明は、上述した実施形態の内容に限定されない。本発明に係る温水装置の各部の具体的な構成は、本発明の意図する範囲内において種々に設計変更自在である。
【００４０】
上述の実施形態では、いわゆる１缶２回路方式のものを具体例としており、第１および第２のバーナ１Ａ，１Ｂのうち、一方の第２のバーナ１Ｂの一部を、非燃焼バーナ１B'とし、または第２のバーナ１Ｂの設置領域側に、バーナ設置用空き領域ＡＲを設けたが、これに限定されない。たとえば、第１のバーナ１Ａの一部を、非燃焼バーナとしたり、第１のバーナ１Ａの設置領域側に、バーナ設置用空き領域を設けた構成とすることもできる。また、１缶１回路方式とすることも可能である。
本発明でいう温水装置とは、湯を生成する機能を備えた装置の意であり、一般給湯用、風呂給湯用、暖房用、あるいは融雪用などの各種の給湯装置、および給湯以外に用いられる湯を生成する装置を広く含む。
【符号の説明】
【００４１】
ＷＨ，ＷＨａ  温水装置
Ｃ  燃焼装置
ＨＥ  熱交換器
１Ｂ  第２のバーナ（バーナ）
１B’非燃焼バーナ
１１  ガス導入口
１２  炎孔面
１３  流路
１４ａ  一端部（非燃焼バーナの）
１４ｂ  他端部（非燃焼バーナの）
２  バーナケース
３  ファン
４  燃料ガス供給ヘッド
６Ｂ  第２の伝熱管（伝熱管）
６０  直状管体部
６０ａ（６０）  入水側直状管体部
６２ａ  入水口
【図１】
2019190735.tif 000003
【図２】
2019190735.tif 000004
【図３】
2019190735.tif 000005
【図４】
2019190735.tif 000006